(57)【特許請求の範囲】
【請求項１】
光ファイバーにより接続された第１及び第２の光伝送装置間で、電気的な複数のアナログ信号を光デジタル信号に変換して伝送する光伝送システムにおいて、
前記第１及び第２の光伝送装置は、電気的に入力された複数のアナログ信号を光デジタル信号に変換して前記光ファイバーに送出する送信部と、
前記光ファイバーを介して供給された光デジタル信号をアナログ信号に変換して受信する受信部と、
自装置内の受信部へ供給するデジタル信号を生成するデジタル信号生成手段と、このデジタル信号生成手段からのデジタル信号を前記受信部に供給するか否かの選択を行う選択手段と、この選択手段の選択結果に基づいて前記受信部へのデジタル信号の供給を他装置の送信部の供給から前記デジタル信号生成手段の供給に切り換える切換手段及び前記切換手段の動作に連動して動作して同期信号発信手段に切り換える切換手段とを備え、これらの切換手段の切り換え動作に基づいて前記受信部に前記デジタル信号生成手段からデジタル信号が供給された場合に、自装置内の前記受信部と送信部間で前記供給されたデジタル信号をループを形成させて自装置内における信号伝達経路の障害検出を含む動作テストを行う動作テスト部とを有することを特徴とする光伝送システム。
【請求項２】
前記動作テスト部は、前記デジタル信号生成手段で生成されたデジタル信号が自装置内でループが形成されている場合に、自装置内の所定の部位における信号レベルを検出する信号レベル検出手段を備えたことを特徴とする請求項１記載の光伝送システム。
【発明の詳細な説明】
【０００１】
【発明の属する技術分野】
本発明は、供給された複数のアナログ信号を光デジタル信号に変換して光ファイバーで伝送する光伝送システムに関する。
【０００２】
【従来の技術】
音楽の演奏会などでは、ステージ上で生じた音声情報を１本または２本のマイクロフォンだけで収録するのはまれであり、通常は４本から数十本のマイクロフォンを使用する。また、マイクロフォンだけでなく、楽器自体からも直接音情報が出力されるため、その結果、演奏中のステージでは、例えば３２チャンネル  （ｃｈ）又はそれ以上のｃｈの音声信号が発生するのが通常である。
【０００３】
一方、音楽の演奏会などにおける音声処理の工程として、ステージ上で生じた複数のｃｈの音声信号をバランスを取りながら加工して出力したり、一部の音声信号を現在演奏中の演奏者にモニター音声として送り返したりする工程が存在する。この音声処理の工程には、コンソールという装置が使用される。このコンソールは、多数のｃｈの信号を受け取り、音量や音質等の様々な加工を施す装置である。
【０００４】
また、コンソールは、マイクロフォン等のステージ側の装置と接続されるわけだが、ステージとコンソールとは、必ずしも隣接して設置されるとは限らない  （場合によっては、ステージとコンソールは、数十メートルから数百メートルも離れていることがある。）。
【０００５】
この場合、従来はステージとコンソールを結ぶのにマルチケーブルというものを使用していた。このマルチケーブルは、多数のケーブルをまとめたもので、ステージからの複数の音声信号を並列にコンソールまで伝送するケーブルである。
【０００６】
しかし、このマルチケーブルによる伝送は、ケーブルの重量が重いため、設置のための引き回し（ケーブルの移動等）が困難である。また、マルチケーブルは、アナログ信号をそのまま伝送するため、ケーブル内での信号の劣化や雑音の増加が避けられない。
【０００７】
そこで、マルチケーブルによる信号の伝送方法以外に、例えば、特開昭５９−１７７５１などに記載されているような光ファイバ通信の技術を要素技術として、ステージ側で複数の音声のｃｈをデジタル信号に変換し、コンソールまで高速デジタル回線で結ぶことが試みられようとしている。高速デジタル回線の伝送媒体として、光ファイバー・ケーブルを使用すれば、多数のｃｈ分のアナログ信号を１本のケーブルで伝送することが可能である。また、このようにすることにより、従来のマルチケーブルの引き回しの困難さと信号劣化の問題の大部分を解決することが可能である。
【０００８】
この光ファイバを利用して多数のｃｈの信号を伝送する装置は、光ケーブルを伝送媒体に使用した多ｃｈ信号伝送装置と呼ばれる（以下、「光伝送システム」という。）。
【０００９】
この光伝送システムは、ステージ側に設置されるステージ側伝送装置と、コンソール側に設置されるコンソール側伝送装置と、これら両装置を接続する光ファイバーケーブルとから構成される。
【００１０】
ステージ側伝送装置は、ステージの上で発生する多数のｃｈの音声信号（アナログ）をデジタル信号に変換し、光ファイバーケーブルで伝送可能とするものである。
【００１１】
また、コンソール側伝送装置は、光ファイバーケーブルによって送られてきた信号をデジタル信号に変換し、その後、ｃｈごとにアナログ信号に復元して、コンソールまで信号を伝送するものである。
【００１２】
【発明が解決しようとする課題】
しかしながら、上記のような従来の光伝送システムは、マルチケーブルによる信号の伝送と比較して、信号劣化の問題やケーブルの引き回しの困難さが少ない反面、その設置手順が複雑であるという問題がある。
【００１３】
また、光伝送システムにおいては、各伝送装置が正常に動作してはじめてマイクロフォンの動作テストやコンソールの動作テストが可能となるが、それにもかかわらず、ステージ側伝送装置、コンソール側伝送装置及び光ファイバーケーブルの全部の設置及び接続が完了しないと、伝送装置自体の動作テストができないという問題がある。また、伝送装置が動作テストの結果正常に動作しなかったとしても、ステージ側伝送装置、コンソール側伝送装置及び光ファイバーケーブルのうちのどの部分に障害が発生したかを判別することが困難である。そのため、障害を復旧するために、予定外の時間が掛かる場合がある。
【００１４】
そこで、本発明は上記事情に鑑みてなされたものであり、容易に各伝送装置単体での動作テストを可能とするとともに、障害が発生した場所の特定を速やかに行うことが可能な光伝送システムを提供することを目的とする。
【００１５】
【課題を解決するための手段】
上記課題を解決するために本発明は、光ファイバーにより接続された第１及び第２の光伝送装置間で、電気的な複数のアナログ信号を光デジタル信号に変換して伝送する光伝送システムにおいて、前記第１及び第２の光伝送装置は、電気的に入力された複数のアナログ信号を光デジタル信号に変換して前記光ファイバーに送出する送信部と、前記光ファイバーを介して供給された光デジタル信号をアナログ信号に変換して受信する受信部と、自装置内の受信部へ供給するデジタル信号を生成するデジタル信号生成手段と、このデジタル信号生成手段からのデジタル信号を前記受信部に供給するか否かの選択を行う選択手段と、この選択手段の選択結果に基づいて前記受信部へのデジタル信号の供給を他装置の送信部の供給から前記デジタル信号生成手段の供給に切り換える切換手段及び前記切換手段の動作に連動して動作して同期信号発信手段に切換える切換手段とを備え、これらの切換手段の切り換え動作に基づいて前記受信部に前記デジタル信号生成手段からデジタル信号が供給された場合に、自装置内の前記受信部と送信部間で前記供給されたデジタル信号をループを形成させて自装置内における信号伝達経路の障害検出を含む動作テストを行う動作テスト部とを有する。
【００１６】
【発明の実施の形態】
以下、本発明の実施の形態を図面を参照して詳細に説明する。尚、以下の実施の形態は、本発明の一態様を示すものであり、この発明を限定するものではなく本発明の範囲内で任意に変更可能である。
【００１７】
図１は本発明の実施の一形態に係る光伝送システムの概略構成を示すシステム構成図である。尚、以下の説明では、実施の一形態として本発明の光伝送システムを音楽コンサート等の会場に適用した場合の例を示す。
【００１８】
同図に示したように、本システムは、例えばコンサート等が実演されるステージ側に配置されるステージ側伝送装置１０と、ステージ側で発生した音声信号を加工するコンソール側に配置されるコンソール側伝送装置２０と、これら両伝送装置間を結ぶ２つのケーブル３１、３２からなる光ファイバー・ケーブル（以下、単に「光ファイバー」という。）３０とを有して構成される。
【００１９】
上記ステージ側伝送装置１０は、送信部１１１、受信部１１２及びテスト部１１３を備え通常の伝送動作を行う主伝送路１１０と、この主伝送路１１０とほぼ同様の内部構成を有して主伝送路１１０に何らかの障害が発生した場合に動作する副伝送路１２０とを具備して構成される。
【００２０】
上記コンソール側伝送装置２０は、ステージ側伝送装置１０と基本的な構成はほぼ同様であり、受信部２１１、送信部２１２及びテスト部２１３を備え通常の伝送動作を行う主伝送路２１０と、この主伝送路２１０に何らかの障害が発生した場合に動作する副伝送路２２０とを具備して構成される。
【００２１】
このような全体構成を有する光伝送システムにおいて、ステージ上の楽器、マイク等から出力された複数チャンネル（例えば４８チャンネル）のアナログの音声信号は（以下、「チャンネル」を「ｃｈ」という。）、入力端子１１からステージ側伝送装置１０に入力され、光ファイバー３０を介して所定の伝送レート  （例えば１２２．８ＭＢＰＳ）でコンソール側伝送装置２０に伝送される。次に、コンソール側伝送装置２０は、伝送されてきた音声信号を出力端子２１からさらにコンソールに送る。コンソール側では、この音声信号に対し、音質加工、ミキシング加工等の各種音声加工を施し、この加工した音声信号を所定のｃｈ数（例えば１６ｃｈ）で再び入力端子２３からコンソール側伝送装置２０に出力する。コンソール側伝送装置２０は、コンソール側からのアナログの音声信号を光デジタル信号に変換して光ファイバー３０を介してステージ側伝送装置１０に伝送する。ステージ側伝送装置１０は、例えば１６ｃｈの音声信号を出力端子１３からステージ側に配置される不図示のスピーカ等に供給する。また、ステージ側伝送装置１０及びコンソール側伝送装置２０は、それぞれ送信部１１１，２１２から分岐した出力端子１２，出力端子２２に音声信号を出力することでモニター用の音源を確保することができるようになっている。このような光ファイバー３０を用いた信号の伝送により、信号伝達における時間遅れがなく、従来の電線を使用した場合に生ずる信号伝達の誤り、訂正の処理も不要となる。
【００２２】
さらに、コンソール側伝送装置２０は、Ｔｈｒｕ  Ｏｕｔ端子を備えており、コンソール側伝送装置２０と同様の機能を有する複数の伝送装置を接続して多数のコンソール側の装置に対応可能となっている。すなわち、ステージ上の音声信号を加工する目的だけでなく、音声収録、放送用等の多種の目的で設置される専用のコンソール等、複数のコンソールに対応可能である。
【００２３】
図２、図３は、それぞれステージ側伝送装置１０、コンソール側伝送装置２０のより詳細な構成を示す詳細ブロック図である。尚、各伝送装置における主伝送路と副伝送路の構成はほぼ同様であるため、以下の説明では主伝送路を代表して説明する。
【００２４】
まず、ステージ側伝送装置１０内の詳細な構成説明を行う。
【００２５】
図２に示したように、上記ステージ側伝送装置１０の送信部１１１は、例えば４８ｃｈ分の入力端子１１から入力された電気的な複数のアナログ信号を増幅する各ｃｈ分の増幅器５１と、この増幅器５１で増幅された電気的な複数のアナログ信号をデジタル信号に変換する各ｃｈ分のＡ／Ｄ変換器５２と、送信部１１１内の各伝送回路を制御する伝送制御回路５３と、コンソール側伝送装置２０との信号の通信制御を行う通信制御回路５４と、伝送制御回路５３及び通信制御回路５４を介してＡ／Ｄ変換器５２より出力された電気的なデジタル信号を光デジタル信号に変換する電気／光（Ｅ／Ｏ）変換器５５と、装置内の各部に供給するクロック信号（ＣＬＫ）を発生するクロック信号発生器（Ｘ’ＴＡＬ）５６とを有して構成される。このような構成の送信部１１１により、入力端子１１を介して入力されたステージからの電気的な複数のアナログ信号は、光デジタル信号に変換されＥ／Ｏ変換器５５に接続された光通信端子１４から光ファイバー３１を介してコンソール側伝送装置２０に送信される。尚、ステージ側伝送装置１０から送信される信号は、クロック信号発生器５６から供給されるクロック信号（ＣＬＫ）の成分を含んでいる。コンソール側伝送装置２０は、通常の動作では、ステージ側伝送装置１０から送信されてくる信号の中からこのクロック信号を分離し、当該分離したクロック信号に基づいて動作する。
【００２６】
また、上記ステージ側伝送装置１０の受信部１１２は、光ファイバー３２，光通信端子１５を介してコンソール側伝送装置２０から送信された光デジタル信号を電気信号に変換する光／電気（Ｏ／Ｅ）変換器６１と、受信部１１２内の各伝送回路を制御する通信制御回路６２と、コンソール側伝送装置２０との信号の通信制御を行う伝送制御回路６３と、通信制御回路６２及び伝送制御回路６３を介してＯ／Ｅ変換器６１より出力された電気的なデジタル信号を例えば１６ｃｈの各ｃｈに応じてアナログ信号に変換するＤ／Ａ変換器６４と、このＤ／Ａ変換器６４から入力された電気的なアナログ信号を各ｃｈに応じて増幅する増幅器６５とを有して構成される。このような構成の受信部１１２により、光ファイバー３２，光通信端子１５を介してコンソール側伝送装置２０から送信された光デジタル信号は、電気的な複数のアナログ信号に変換された後、増幅器６５に接続された出力端子１３を介してステージ側のスピーカ等に供給される。
【００２７】
また、上記ステージ側伝送装置１０のテスト部１１３は、自装置内にデジタル信号をループさせて自装置内における信号伝達経路の障害検出を含む動作テストを行う動作テスト部分である。このテスト部１１３は、一端が増幅器６５に接続された受信部１１２用の例えば１６ｃｈ分のテストスイッチ６６と、一端が増幅器５１及びＡ／Ｄ変換器５２間に接続された送信部１１２用の例えば４８ｃｈ分のテストスイッチ６７と、所定のデジタル信号を生成しこの生成したデジタル信号を受信部１１２へ供給するデジタル信号生成手段としてのオシレータ（ＯＳＣ）６８と、このＯＳＣ６８からのデジタル信号を受信部１１２に供給するか否かの選択を行う選択手段としてのＯＳＣ用選択スイッチ６９と、伝送制御回路６３内に設けられＯＳＣ用選択スイッチ６９の選択動作に連動して動作し、受信部１１２へのデジタル信号の供給をＯＳＣ６８からの供給に切り換える切換手段としての切換スイッチ５７とを有して構成される。また、テスト部１１３は、テストスイッチ６６、６７の他端に接続され、ＯＳＣ６８で生成されたデジタル信号の受信部１１２及び送信部１１１の所定の部位における信号レベルを検出する信号レベル検出手段としてのレベルメータＬＭ１及び使用者がヘッドホンを用いて直接音声を聴くためのヘッドホン端子（Ｐｈｏｎｅ）等を具備している。
【００２８】
ここで、上記ＯＳＣ用選択スイッチ６９は、通常の通信時に選択されるＯＦＦ端子と、テスト時に選択される−２０ｄＢ端子及び−６０ｄＢ端子とで構成される。
【００２９】
この選択スイッチ６９で−２０ｄＢ端子又は−６０ｄＢ端子が選択された場合には、ＯＳＣ６８からそれぞれ−２０ｄＢ、−６０ｄＢの音圧のテストシグナル（デジタル信号）が発せられる。
【００３０】
切換スイッチ５７は、通常の通信時（選択スイッチ６９がＯＦＦ時）には、通信制御回路６２側の切換端子（ＮＯＲＭ）に接続されているが、選択スイッチ６９の−２０ｄＢ端子又は−６０ｄＢ端子が選択された場合には、ＮＯＲＭ端子からＯＳＣ６８側の接続端子（ＴＥＳＴ）に切り換わるようになっている。これにより、ＯＳＣ６８からのテストシグナルが装置内に供給され、ステージ側伝送装置１０単体での動作チェックが可能となる。
【００３１】
次に、コンソール側伝送装置２０内の詳細な構成説明を行う。尚、コンソール側伝送装置２０内の各ブロックの構成回路は、上記ステージ側伝送装置１０の各ブロックの回路と同様の機能を示すものが多いため、説明が重複する部分についてはその詳細説明を省略する。
【００３２】
コンソール側伝送装置２０は、通常の通信時にはステージ側伝送装置１０から送信されたクロック信号に基づいて動作するものである。また、このコンソール側伝送装置２０の受信部２１１は、図３に示したように、光通信端子２４に接続されたＯ／Ｅ変換器７１と、このＯ／Ｅ変換器７１に接続された通信制御回路７２と、この通信制御回路７２に接続された伝送制御回路７５と、この伝送制御回路７５に接続されたＤ／Ａ変換器７６と、このＤ／Ａ変換器７６に接続された増幅器７７とを有して構成される。
【００３３】
このように、コンソール側伝送装置２０の受信部２１１は、ステージ側伝送装置１０の受信部１１２とほぼ同様のブロック構成を有するが、コンソール側伝送装置２０の受信部２１１は、さらに、通信制御回路７２に接続されステージ側伝送装置１０から送信されたデジタル信号に含まれるクロック信号に基づいたタイミングで送信されたデジタル信号に同期した信号を発振する電圧制御発振回路  （ＶＣＯ）７３と、後述の自己ループスイッチ９０に接続されステージ側伝送装置１０から送られてきたデジタル信号に対して同期を掛けて自装置を動作させるのか、内部のクロック信号を使って自装置を動作させるのかを切り換えるＶＣＯ用切換スイッチ７４とを具備して構成される。このようなコンソール側伝送装置２０の受信部２１１により、通常の通信時には光ファイバー３１，光通信端子２４を介してステージ側伝送装置１０から送信されたデジタル信号は、通信制御回路７２に入力される。通信制御回路７２では、送信されたデジタル信号に含まれるクロック信号に基づいて、例えば２５６ＦＳのタイミング信号をＶＣＯ７３に送信する。ＶＣＯ７３では、信号２５６ＦＳのタイミングに同期したクロック信号（ＣＬＫ）を生成し、装置内の各部に出力する。そして、ステージ側伝送装置１０から送信されたデジタル信号はアナログ信号に変換された後、増幅器７７に接続された出力端子２１を介してコンソールに送信される。
【００３４】
また、コンソール側伝送装置２０の送信部２１２は、入力端子２３に接続された増幅器８１と、この増幅器８１に接続されたＡ／Ｄ変換器８２と、このＡ／Ｄ変換器８２に接続された伝送制御回路８３と、この伝送制御回路８３に接続されるとともに、ＶＣＯ７３及びＶＣＯ用切換スイッチ７４に接続された通信制御回路８４と、この通信制御回路８４に接続されたＥ／Ｏ変換器８５とを有して構成される。このように、コンソール側伝送装置２０の送信部２１２は、ステージ側伝送装置１０の送信部１１１の各ブロックとほぼ同様の機能を持った回路で構成される。このような構成の送信部２１２により、入力端子２３を介して入力されたコンソールからの電気的な複数のアナログ信号は、光デジタル信号に変換されＥ／Ｏ変換器８５に接続された光通信端子２５から光ファイバー３２を介して所定の伝送レート（例えば１２８．８ＭＢＰＳ）でステージ側伝送装置１０に送信される。
【００３５】
また、コンソール側伝送装置２０のテスト部２１３は、一端が増幅器７７に接続された受信部２１１用の例えば４８ｃｈ分のテストスイッチ８６と、一端が増幅器８１及びＡ／Ｄ変換器８２間に接続された送信部２１２用の例えば１６ｃｈ分のテストスイッチ８７と、所定のデジタル信号を生成しこの生成したデジタル信号を受信部２１１へ供給するデジタル信号生成手段としてのオシレータ（ＯＳＣ）８８と、このＯＳＣ８８からのデジタル信号を受信部２１１に供給するか否かの選択を行う選択手段としてのＯＳＣ用選択スイッチ８９と、一端がＶＣＯ７３に接続された自己ループスイッチ９０と、伝送制御回路７５内に設けられＯＳＣ用選択スイッチ８９の選択動作に連動して動作し、受信部２１１へのデジタル信号の供給をＯＳＣ８８からの供給に切り換える切換手段としての切換スイッチ９１とを有して構成される。また、テスト部２１３は、テストスイッチ８６、８７の他端に接続され、ＯＳＣ８８で生成されたデジタル信号の受信部２１１及び送信部２１２の所定の部位における信号レベルを検出する信号レベル検出手段としてのレベルメータＬＭ２及び使用者がヘッドホンを用いて直接音声を聴くためのヘッドホン端子（Ｐｈｏｎｅ）等を具備している。
【００３６】
ここで、上記ＯＳＣ用選択スイッチ８９は、通常の通信時に選択されるＯＦＦ端子と、テスト時に選択される−２０ｄＢ端子及び−６０ｄＢ端子とで構成される。
【００３７】
このコンソール側伝送装置２０のテスト部２１３と上記ステージ側伝送装置１０のテスト部１１３との構成の大きな違いは自己ループスイッチ９０を設けた点である。通常コンソルール側伝送装置２０は、単にＯＳＣ８８で生成されたデジタル信号を出力しただけでは、信号の同期が取れないが、自己ループスイッチ９０を設けて、ＶＣＯ用切換スイッチ７４を切り換えることにより内部のクロック信号を使って自装置を動作するようになっている。
【００３８】
このように、コンソール側伝送装置２０のテスト部２１３は、自己ループスイッチ９０とＯＳＣ用選択スイッチ８９とを連動させることにより自装置単体での動作テストを行えるようにしている。例えば、自己ループスイッチ９０をＯＮにして、ＯＳＣ用選択スイッチ８９を−２０ｄＢに設定すると、コンソルール側伝送装置２０は、自分の内部同期により動作するようになる。
【００３９】
尚、上記において図２に示すステージ側伝送装置１０の受信部１１２の通信制御回路６２には、エラー表示手段としてのエラー表示器４０１が設けられている。また、図３に示すコンソール側伝送装置２０の受信部２１１の通信制御回路７２には、同様にエラー表示手段としてのエラー表示器４０２が設けられている。このエラー表示器４０１及び４０２は、それぞれ通信制御回路６２及び７２がエラーを検出した場合に点灯して、エラーがあることを表示する。
【００４０】
図４は、図３に示すコンソール側伝送装置２０の送信部２１２の通信制御回路８４のより詳細な構成を説明するものである。
【００４１】
通信制御回路８４は、コマンド入力端子４０４，データ入力端子４０３，ストローブ入力端子４０６，クロック入力端子４０７及びシリアル出力端子４０５を備えている。コマンド入力端子４０４及びデータ入力端子４０３は、伝送制御回路８３の出力に接続され、シリアル出力端子４０５は、Ｅ／Ｏ変換器８５に接続されている。コマンド入力端子４０４には、４ビットのパラレルコマンドが入力され、データ入力端子４０３には８ビットパラレルのデータが入力される。デジタル信号に変換された音声データは、８ビットごとに分割されてデータ入力端子４０３に入力される。
【００４２】
４０８は、ラッチであり、４０９はエンコーダであり、４１０は、シフトレジスタである。ラッチ４０８は、データを一時的に保持する。エンコーダは、４ビット−５ビット変換のエンコードを行う。シフトレジスタ４１０は、５ビットのパラレルデータをシリアルデータに変換する。コマンド入力端子４０４から入力されたコマンドのデータまたはデータ入力端子４０３から入力されたデータは、ラッチ４０８で保持される。ラッチ４０８で保持されたデータは、エンコーダ４０９に転送され、エンコーダ４０９によって、４ビット−５ビット変換が行われる。この４ビット−５ビット変換は、デジタル信号の伝送に一般的に使用される手法であり、例えば５ビットで表現可能な３２種類のデータに、４ビットで表現可能な１６種類のデータを、効率よく伝送できるようにマッピングするものである。エンコーダ４０９によって５ビットデータに変換されたデータは、シフトレジスタ４１０に転送され、シリアルデータとしてシリアル出力端子４０５から出力される。
【００４３】
４１１は、クロック発生回路（ＧＥＮ）で、４１２はストローブ制御回路である。クロック発生回路４１１は、クロック入力端子４０７から入力されるクロック信号に基づいて、通信制御回路８４で使用されるクロック信号を発生する。ストローブ制御回路４１２は、ストローブ入力端子４０６から入力されるストローブ信号に基づいて、ラッチ４０８を制御する。
【００４４】
図５は、通信制御回路８４の動作をタイミングチャートで示したものである。ＣＬＫは、クロック入力端子４０７に供給されるクロック信号である。ＤＡＴＡは、データ入力端子４０３から入力されるデータであって、ＤＡＴＡ１，ＤＡＴＡ２のように、クロックに同期してデータの内容が変化する。Ｓｔｒｏｂｅは、ストローブ信号である。ストローブ信号は、クロック信号に同期して、必要に応じて入力される。Ｓｅｒｉａｌは、出力端子４０５から出力されるシリアル信号である。
【００４５】
図５に示すように、通信制御回路８４は、データとストローブが両方そろったときに、データ入力端子４０３から入力されたデータを４ビット−５ビット変換を施したうえで、シリアルデータとして出力端子４０５から出力する。もし、ストローブ信号がないときは、ラッチ４０８が特別な４ビットパターンを生成し、エンコーダ４０９に転送する。そうすると、出力端子４０５からは、図５に示すＳＹＮＣという特別なビットパターンが出力される。尚、コマンド入力端子４０４から入力されるコマンドのデータは、本質的に、データ入力端子４０３から入力されるデータと変わるところはなく、コマンドのデータは、コンソール側伝送装置２０の制御等に利用される。
【００４６】
以上のように、通信制御回路８４は、音声データの有無やコマンドデータの有無に関係なく、常に出力端子４０５から、何らかのシリアルデータを連続して出力する。
【００４７】
図６は、図３に示すコンソール側伝送装置２０の受信部２１１の通信制御回路７２の構成をより詳細に示したものである。４１３は、シリアル入力端子、４１４はクロック入力端子、４１５はデータ出力端子であり、４１６はエラー出力端子である。シリアル入力端子４１３は、Ｏ／Ｅ変換器７１に接続され、データ出力端子４１６は、伝送制御回路７５に接続され、エラー出力端子４１６はエラー表示器４０２に接続されている。
【００４８】
４１７はシフトレジスタ、４１８はラッチ、４１９はデコーダ、４２０は    ラッチである。シリアル入力端子４１３から入力されたシリアルデータは、シフトレジスタ４１７によってパラレルデータに変換される。パラレルデータに変換されたデータは、ラッチ４１８によって一時的に保持される。ラッチ４１８によって保持されたデータは、デコーダ４１９によって、５ビット−４ビット変換が行われる。デコーダ４１９によって４ビットに戻されたデータは、ラッチ４２０によって一時的に保持されたあと、データ出力端子４１５から出力される。４２１は、ＰＬＬ回路である。ＰＬＬ回路は、クロック入力端子４１４に入力されるクロック信号を、シリアル入力端子４１３に入力されるシリアル信号のクロックに同期させて、通信制御回路７２で必要なクロック信号を発生する。
【００４９】
デコーダ４１９及びラッチ４２０は、エラー検出回路を含んでいる。デコーダ４１９は、ラッチ４１８から受け取ったデータを５ビット−４ビット変換を行おうとするときに、変換不能な場合にエラー信号を出力する。
【００５０】
尚、図２に示すステージ側伝送装置１０の通信制御回路５４及び通信制御回路６２も通信制御回路８４及び通信制御回路７２と同様の構成で実施可能であるため、説明は省略する。
【００５１】
次に、上記構成の光伝送システムの動作説明を行う。尚、以下の説明では、本発明の主体である動作テスト機能部分を中心に説明を行う。
【００５２】
本システムでは、従来のようにステージ側伝送装置１０、コンソール側伝送装置２０及び光ファイバー３０の全部の設置及び接続を行わなくとも、伝送装置自体の動作テストが可能である。すなわち本システムでは、システム全体の接続を行う前に、各伝送装置個別に動作テストを行うことができる。
【００５３】
このテストを行う場合には、まず、図３に示すコンソール側伝送装置２０のデシタル送受信部のみの動作テストを行う。そのためには、まず光通信端子２５（送信側）と、光通信端子２４（送信側）とをあらかじめ正常に動作することが確認されているテスト用の光ケーブルで接続する。そして、スイッチ８９をＯＦＦから−６０または−２０へ切り換える。そうすると、スイッチ７４がＮＯＲＭ（通常動作モード）からＴＥＳＴ（テストモード）へ切り換わる。また、スイッチ９０を動作させてＶＣＯ７３を動作させる。そのことによって、通信制御回路７２と通信制御回路８４には、まったく同一のクロックが供給される。さらに、直ちに送信部２１２の通信制御回路８４は、シリアルデータをＥ／Ｏ変換器８５に向けて送信を始める。
【００５４】
Ｅ／Ｏ変換器８５から出力された光信号は、テストのために接続された光ケーブルを通過して、Ｏ／Ｅ変換器７１に到達する。受信部２１１の通信制御回路７２は、Ｏ／Ｅ変換器７１から出力されるシリアルデータが正常であれば、エラー表示器４０２に、「正常」の表示をする。もし、シリアルデータが異常か、または存在しない時は、エラー表示器４０２に「エラー」の表示を行う。
【００５５】
すなわち、エラー表示器４０２に「エラー」が表示されなければ、コンソール側伝送装置２０のデジタル送受信部は正常である。
【００５６】
次に、ステージ側伝送装置１０のデシタル送受信部のみのテストも同様にテスト用の光ケーブルを利用してテストすることができる。以上のデジタル送受信部のテストが完了したならば、次に各伝送装置の内部のその他の構成部分の動作テストを行う。
【００５７】
まず、ステージ側伝送装置１０の動作テストを行う場合には、入力端子１１−出力端子１３間をテスト用の電気ケーブルで接続し、光通信端子１４−光通信端子１５間をテスト用の光ファイバーで接続する。また、動作テストを行う場合には、ＯＳＣ用選択スイッチ６９を−２０ｄＢ端子又は−６０ｄＢ端子に切り換える（このとき切換スイッチ５７がＴＥＳＴ側端子に切り換わる）。ＯＳＣ用選択スイッチ６９が切り換えられると、ＯＳＣ６８からはデジタル信号が受信部１１２の伝送制御回路６３に供給される。この供給されたデジタル信号は、Ｄ／Ａ変換器６４でアナログ信号に変換されるとともに、増幅器６５で信号増幅され、出力端子１３から入力端子１１を経て送信部１１１に送信される。ここまでの信号伝達経路において増幅器６５を出た後の信号レベルは、レベルメータＬＭ１で検出できる（この際テストスイッチ６６でどのｃｈの信号レベルをチェックするかを選択できる）。
【００５８】
また、送信部１１２に送信された信号は、増幅器５１で信号増幅され、Ａ／Ｄ変換器５２で再びデジタル信号に変換されるとともに、伝送制御回路５３，通信制御回路５４を介して，Ｅ／Ｏ変換器５５で光デジタル信号に変換された後、出力端子１４から入力端子１５を経て受信部１１２に送信される。ここまでの信号伝達経路において増幅器５１を出た後の信号レベルは、レベルメータＬＭ１で検出できる（この際テストスイッチ６７でどのｃｈの信号レベルをチェックするかを選択できる）。
【００５９】
以上のように、ＯＳＣ６８からのデジタル信号は、自装置内で受信部１１２→送信部１１１→受信部１１２という経路で自己ループが形成される。
【００６０】
次に、コンソール側伝送装置２０の動作テストを行う場合には、入力端子２３−出力端子２１間をテスト用の電気ケーブルで接続し、光通信端子２４−光通信端子２５間をテスト用の光ファイバーで接続する。また、動作テストを行う場合には、自己ループスイッチ９０をＯＮにするとともに、ＯＳＣ用選択スイッチ８９を−２０ｄＢ端子又は−６０ｄＢ端子に切り換える（このとき切換スイッチ９１，ＶＣＯ用切換スイッチ７４がＴＥＳＴ側端子に切り換わり、外部のクロック信号を使用せずに内部のクロック信号により内部同期を可能とする）。自己ループスイッチ９０，ＯＳＣ用選択スイッチ８９が切り換えられると、ＯＳＣ８８からはデジタル信号が受信部２１１の伝送制御回路７５に供給される。この供給されたデジタル信号は、Ｄ／Ａ変換器７６でアナログ信号に変換されるとともに、増幅器７７で信号増幅され、出力端子２１から入力端子２３を経て送信部２１２に送信される。ここまでの信号伝達経路において増幅器７７を出た後の信号レベルは、レベルメータＬＭ２で検出できる（この際テストスイッチ８６でどのｃｈの信号レベルをチェックするかを選択できる）。
【００６１】
また、送信部２１２に送信された信号は、増幅器８１で信号増幅され、Ａ／Ｄ変換器８２で再びデジタル信号に変換されるとともに、伝送制御回路８３，通信制御回路８４を介して，Ｅ／Ｏ変換器８５で光デジタル信号に変換された後、出力端子２５から入力端子２４を経て受信部２１１に送信される。ここまでの信号伝達経路において増幅器８１を出た後の信号レベルは、レベルメータＬＭ２で検出できる（この際テストスイッチ８７でどのｃｈの信号レベルをチェックするかを選択できる）。
【００６２】
以上のように、ＯＳＣ８８からのデジタル信号は、自装置内で受信部２１１→送信部２１２という経路で自己ループが形成される。
【００６３】
上記のような各伝送装置の動作テストが終了し、各伝送装置の機能が正常ということが確認できたら、入力端子１１及び出力端子１３をステージ上の楽器、マイク等のステージ側装置に接続する。また、光通信端子１４−光通信端子２４間と、光通信端子１５−光通信端子２５間とを光ファイバー３０で接続し、出力端子２１及び入力端子２３をコンソール側に接続する。これらの接続を行うことにより通常の通信が行われる。
【００６４】
以上説明したように、本実施の形態によれば、動作テストを行うテスト部１１３，２１３を設けたことにより、容易に各伝送装置個別に機能単位の動作テストが可能となる。また、各ｃｈ毎にテストスイッチを設けたので、多数のｃｈのうちのどこのｃｈで障害が発生しているかをレベルメータＬＭ等により調べることも容易にできる。
【００６５】
【発明の効果】
以上詳述した本発明によれば、自装置内でデジタル信号を生成し、この生成したデジタル信号を自装置内でループを形成させることで自装置内の信号伝達経路の障害を検出するので、各伝送装置単体での動作テストが可能となる。
【００６６】
また、自装置内の所定の部位における信号レベルを検出する信号レベル検出手段を備えているので、障害が発生した場所の特定を速やかに行うことが可能である。
【図面の簡単な説明】
【図１】本発明による光伝送システムのシステム構成図
【図２】ステージ側伝送装置１０のより詳細な構成を示す詳細ブロック図
【図３】コンソール側伝送装置２０のより詳細な構成を示す詳細ブロック図
【図４】コンソール側伝送装置２０の通信制御回路８４（送信側）の詳細ブロック図
【図５】通信制御回路８４の動作を示すタイミングチャート
【図６】コンソール側伝送装置２０の通信制御回路７２（受信側）の詳細ブロック図
【符号の説明】
１０  ステージ側伝送装置
２０  コンソール側伝送装置
１１１，２１２  送信部
１１２，２１１  受信部
１１３，２１３  テスト部
６８，８８  オシレータ（ＯＳＣ、デジタル信号生成手段）
６９，８９  ＯＳＣ用選択スイッチ（選択手段）
５７，９１  切換スイッチ（切換手段）
【図１】
0003706200.tif 000002
【図２】
0003706200.tif 000003
【図３】
0003706200.tif 000004
【図４】
0003706200.tif 000005
【図５】
0003706200.tif 000006
【図６】
0003706200.tif 000007